(57)【要約】【課題】  披露宴や祝賀パーティーなどにおいて、簡単な構造で、暗所においても発光による照明効果を高めることができる卓上装飾体を提供する。【解決手段】  装飾体は、基部２に対して頂部４が縮径した透光性透明体１と、前記頂部４を湾曲して横断し、カードが装着可能なスリット５と、透明体１の内部空間７に収容された発光ダイオード１１及び電池１２と、スイッチ１３とを備えている。前記透明体１は１２角柱状の多角柱状部３で構成され、多面体状に形成されている。内部空間７は、断面８角柱状の多角柱状空間部９と多角錐台状空間部１０とで構成されている。スイッチは、カードの装着に応答して発光体を発光させるための自動スイッチ、照度低下に応答して発光体を発光させるための自動スイッチであってもよい。装飾体は、席札などのカード立てや席札装飾体として有用である。【選択図】  図３
2005047145.tif 000002
【特許請求の範囲】
【請求項１】
透光性を有する透明体と、この透明体の内部空間に収容された発光体と、この発光体を発光又は消光させるためのスイッチ機構とを備えている装飾体であって、前記透明体が多面体状に形成され、前記透明体にカードが装着可能な装着部が形成されている卓上装飾体。
【請求項２】
透明体が、基部に対して頂部が縮径しているとともに、複数の多角柱段部で構成された多角柱状部を備えている請求項１記載の卓上装飾体。
【請求項３】
スイッチ機構が、透明体の底部に配置された手動スイッチと、カードの装着又は照度低下に応答して発光体を発光させるための自動スイッチとで構成されている請求項１記載の卓上装飾体。
【請求項４】
透明体に対する物体の接近を検出するためのセンサと、このセンサからの検出信号に応答して音声を生成するための音声生成ユニットとを備えている請求項１記載の卓上装飾体。
【請求項５】
基部から半球状頂部に向かって多角柱状の形態で階段状に縮径し、かつ透光性を有する透明体と、
この透明体の半球状頂部を湾曲して横断し、かつカードが装着可能な溝又はスリットと、
前記透明体の底面から頂部に向かって形成され、かつ断面多角柱状空間部と、この多角柱状空間部に連なる多角錐状又は多角錐台状空間部とで構成された内部空間と、
この内部空間に収容された発光ダイオードと、
前記内部空間に収容され、かつ前記発光ダイオードを発光させるための電池と、
前記透明体の底部に装着可能な裏蓋部と、
この裏蓋部に設けられ、前記電池による発光ダイオードの発光又は消灯を切り換えるためのスイッチとを備えている請求項１記載の卓上装飾体。
【請求項６】
透明体の基部と頂部との間が、８〜２４角柱状の形態で階段状に形成され、かつ隣接する段部において各角柱段部の角部がそれぞれ位置ずれしており、内部空間が４〜１２角柱状空間部と、この角柱状空間部に連なる４〜１２角錐状又は多角錐台状空間部とで構成されている請求項５記載の卓上装飾体。
【発明の詳細な説明】
【技術分野】
【０００１】
本発明は、結婚披露宴、パーティーなどの席で、名札や席札などのカードを立ててテーブル上に配置して使用される卓上装飾体（カード立て又は席札装飾体）に関する。
【背景技術】
【０００２】
披露宴、パーティーなどの宴席では、出席者、招待者などの着席位置を示すため、テーブル番号を示すテーブル札とともに当該テーブルには席札が置かれている。このテーブルの席札は、通常、宴席の終了後に記念品などとともに持ち帰ることができる。しかし、前記席札は、着席位置を示す機能しか果たせない。そのため、会合、宴会又は宴席での雰囲気を盛り上げるための演出には寄与し得ない。
【０００３】
特許文献１には、鏡と、この鏡を支える台座からなる席札であって、鏡の表面中央に名前記入欄を設け、前記台座を鏡に対して着脱自在に構成した席札が開示されている。この文献には、台座にペーパーホルダーを設けてもよいことも記載されている。この席札は、宴会や催しの会場においても、終了後においても利用でき、記念として残すことができる。しかし、結婚披露宴、パーティーなどの総合演出での雰囲気を高めることはできない。
【０００４】
特許文献２には、円筒形、角柱形、鳥獣に類似した形状の器体に、光を透過しやすい生花ないし造花を配列するための凹部を設け、この凹部の略中央から上方に向かって展開する複数の発光ダイオードが設けられており、この発光ダイオードを取り囲むように生花ないし造花が配列され、器体の内側には前記発光ダイオードの点滅を制御する点滅回路と電池とが収容されており、前記器体ないし発光ダイオードの支持体若しくは造花により支持されるネームプレートが用意されているパーティー用卓上装飾体が開示されている。しかし、装飾効果を高めるためには、発光色の異なる複数の発光ダイオードと点滅回路とを必要とするため、構造が複雑化するとともに、装飾体のサイズが大きくなり、記念として持ち帰ることも困難である。また、発光ダイオードの周囲を生花や造花で取り囲む必要があり、装飾性を高めるためには煩雑な操作が必要である。さらに、主として席札として用いると、出席者全員の数を用意しなければならないため、高価となり実用的でない。また、主として、装花としての装飾体ならば、通常の照明で生花や造花が引き立つものの、暗所では生花や造花本来の意味が大きく低減する。
【特許文献１】特開平１１−５２８６９号公報（特許請求の範囲、図１）
【特許文献２】実用新案登録第２５５３５０７号（実用新案登録請求の範囲、図１）
【発明の開示】
【発明が解決しようとする課題】
【０００５】
従って、本発明の目的は、披露宴や祝賀パーティーなどの宴席又は会合において、簡単な構造で、暗所においても発光による照明効果を高めることができる卓上装飾体（カード立て又は席札装飾体）を提供することにある。
【０００６】
本発明の他の目的は、サイズが小さく持ち帰りも容易であるとともに、装飾性を高め、会合、宴会又は宴席会場での総合演出として雰囲気を盛り上げるために有用な卓上装飾体（カード立て又は席札装飾体）を提供することにある。
【課題を解決するための手段】
【０００７】
本発明者は、宴席での雰囲気や演出効果を高めるため、席札などのカードを立てるためのカード立て（卓上装飾体）について検討したところ、全体の形状が基部から頂部に向かって縮径した角錐状又は円錐状であり、かつ複数の多角柱段部で多角柱状に構成された透明体（又は多面体状透明体）と、この透明体の内部に配置した発光ダイオードと、前記頂部に名札などのカードを装着するための装着機構とで卓上装飾体を構成すると、多面体状透明体を通じて発光ダイオードからの光が屈折して、宝石を散りばめたように煌びやかに放射され、装飾性を高めることができるとともに、宴席の雰囲気を盛り上げる照明効果が高いこと、特に照明がなく消灯の暗所においても高い装飾又は照明演出効果が得られることを見いだし、本発明を完成した。
【０００８】
すなわち、本発明の卓上装飾体（名札又は席札立てなどのカード立て）は、透光性を有する透明体と、この透明体の内部空間に収容された発光体と、この発光体を発光又は消光させるためのスイッチ機構とを備えている。そして、前記透明体が多面体状に形成され、前記透明体の適所（頂部など）にカードが装着可能な装着部又は装着機構が形成されている。前記透明体は、基部に対して頂部が縮径しているとともに、複数の多角柱段部で構成された多角柱状部を備えていてもよい。
【０００９】
このような卓上装飾体又はカード立てを用いると、スイッチ機構を利用して、投光性透明体を通じて発光体からの光を外部に放射できる。特に、透明体が、複数の多角柱段部で構成された多角柱状部などにより多面体状に形成されているため、発光体からの光が屈折し、視角が異なっていても、多面体状の透明体を通じて、内部の発光体からの光を種々の方向にキラキラした輝きで面発光でき、煌びやかさを演出できる。そのため、装飾性、照明効果や会場の雰囲気を盛り上げることができる。なお、透明体が多面体状に形成されているため、発光体を発光させなくても、外光を屈折させることができ、キラキラした輝きを放つことができる。
【００１０】
また、透明体は基部に対して頂部が縮径し、例えば、透明体は、基部から頂部に向かって全体として縮径していてもよい。このような形態では、テーブルに配置しても安定性が高く、カードを透明体に装着しても、カードを安定に保持できる。
【００１１】
なお、前記スイッチ機構は、手動又は自動スイッチのいずれであってもよい。例えば、スイッチ機構は、透明体の底部に配置された手動スイッチと、カードの装着又は照度低下に応答して発光体を発光させるための自動スイッチとで構成してもよい。このような自動スイッチを備えた卓上装飾体では、意外性や装飾性を高めることができる。さらに、透明体に対する物体の接近を検出するためのセンサと、このセンサからの検出信号に応答して音声を生成するための音声生成ユニットとを備えていてもよい。このような音声生成ユニットを備えていると、着座のための接近に伴って、音声（例えば、結婚披露宴での新郎新婦やパーティーでの主催者からのメッセージなど）で感謝の意志などを伝えることができる。
【００１２】
さらに、卓上装飾体（又はカード立て）は、例えば、（１）基部から半球状頂部に向かって多角柱状の形態で階段状に縮径し、かつ透光性を有する透明体と、（２）この透明体の半球状頂部を湾曲して横断し、かつカードが装着可能な溝又はスリットと、（３）前記透明体の底面から頂部に向かって形成され、かつ断面多角柱状空間部と、この多角柱状空間部に連なる多角錐状又は多角錐台状空間部とで構成された内部空間と、（４）この内部空間に収容された発光ダイオードと、（５）前記内部空間に収容され、かつ前記発光ダイオードを発光させるための電池と、（６）前記透明体の底部に装着可能な裏蓋部と、（７）この裏蓋部に設けられ、前記電池による発光ダイオードの発光又は消灯を切り換えるためのスイッチとを備えていてもよい。さらに、透明体は多面体状に形成でき、例えば、透明体の基部と頂部との間を、８〜２４角柱状の形態で階段状に形成し、かつ隣接する段部において各角柱状段部の角部をそれぞれ位置ずれさせてもよい。また、内部空間は、４〜１２角柱状空間部と、この角柱状空間部に連なる４〜１２角錐状空間部とで構成してもよい。このような卓上装飾体では、透明体が多面体状に（又は隣接する各角柱状段部の角部がそれぞれ位置ずれして）形成されているとともに、内部空間を仕切る多角側壁や多角頂壁を、発光ダイオードからの光が透過するので、光を屈折させて多面体の複数の所定面から面発光させることができ、装飾性を高めることができる。
【発明の効果】
【００１３】
本発明では、特定の形状の透明体と発光体とを組み合わせているため、簡単な構造で、光の屈折を利用して、キラキラした輝きを放つことができ、披露宴や祝賀パーティーなどの宴席又は会合において、暗所においても発光による照明効果を高めることができる。また、サイズが小さく持ち帰りも容易であるとともに、暗所においても装飾性を高め、会合、宴会又は宴席会場での雰囲気を盛り上げるために有用である。
【発明を実施するための最良の形態】
【００１４】
以下に、必要により添付図面を参照しつつ本発明を詳細に説明する。
【００１５】
図１は本発明の卓上装飾体を示す概略正面図、図２は図１の卓上装飾体を示す概略平面図、図３は図１の卓上装飾体を示す概略縦断面図、図４は図１の卓上装飾体の使用状態を示す概略側面図である。
【００１６】
図に示す卓上装飾体は、透光性を有するプラスチック（例えば、アクリル樹脂）製透明体（又は透明基台）１と、この透明体の底面から頂部４に向かって形成された内部空間７と、この内部空間に収容又は配置された発光ダイオード１１と、この発光ダイオードを発光させるための薄型電池１２と、電池からの通電をオン／オフさせるためのスイッチ１３とを備えている。
【００１７】
前記透明体（透明基台）１は、基部２から頂部４に向かって多角柱状の形態で階段状に縮径しており、頂部４は半球形状に形成されている。すなわち、発光ダイオード１１からの光を屈折させるため、基部２と頂部４との間には、多角柱状段部３が形成され、この多角柱状段部は、高さ方向に１２角柱状（１２面体状）の形態で階段状に形成された複数（この例では、５段）の多角柱段部３ａ〜３ｅで構成されており、隣接する段部３ａ〜３ｅのコーナー部はアール加工されている。さらに、発光ダイオード１１からの光を屈折させるため、隣接する段部３ａ〜３ｅにおいて、各多角柱段部の角部がそれぞれ１５°の角度で位置ずれして配列している。そのため、高さ方向に隣接する多角柱段部３ａ〜３ｅにおいて、一方の多角柱段部の角部は他方の多角柱段部の各側面のうち幅方向又は横方向の中央部に位置している。このように多角柱段部３ａ〜３ｅの配列により透明体１は多面体を形成している。
【００１８】
前記透明体１の半球状頂部４には、席札や名札などのカード６が装着可能な溝又はスリット５が横断して形成されており、装着状態でのカード６の保持性を高めるため、この溝又はスリット５の延出方向は湾曲し、非直線状の形態で形成されている。
【００１９】
前記内部空間７は、透明体１の底部から頂部に向かって、階段状装着凹部８と、多角柱状空間部（角柱壁で仕切られた空間部）９と、この多角柱状空間部に連なる多角錐状又は多角錐台状空間部（多角錐状壁で仕切られた空間部）１０とで構成されている。また、多角柱状空間部９は８角柱状（８面体状）に形成されている。このような多面体状の内部空間７には、無彩色（白色）や有彩色（黄色、オレンジ色、ピンク色、赤色、青色、緑色、紫色など）に発光可能な発光ダイオード１１が収容され配置されている。そのため、発光ダイオード１１の光が多面体状の内部空間７で透過又は反射を繰り返しながら屈折して多面体状透明体１を透過し、透明体１の複数の面で面発光させることができる。
【００２０】
前記透明体１の底部側の装着凹部８には裏蓋部が装着可能である。すなわち、装着凹部８のうち透明体１の底面側の凹部８ａには、裏蓋部１４のリング状脚部１４ａが装着可能であり、この脚部間にはプレート状支持部１４ｂが支持されて形成されている。この支持部１４ｂ上には、前記内部空間７の階段状収容凹部８ｂに収容され、かつ前記発光ダイオード１１を発光させるための薄型電池（リチウム二次電池など）１２が配設されている。なお、前記発光ダイオード１１と電池１２の一方の極性とはリードで接続されており、前記発光ダイオード１１と電池１２の他方の極性とは、スイッチ１３を介して接触可能なリードで接続されている。すなわち、前記裏蓋部１４の支持部１４ｂにはスライド可能なスイッチ１３が配設され、このスイッチのスライド操作により、前記発光ダイオード１１と電池１２の他方の極性とが所定の接点で接触可能である。そのため、スイッチ１３のスライド操作により電池１２をオン／オフでき、発光ダイオード１１の発光又は消光が可能である。
【００２１】
このような卓上装飾体では、テーブルと着席場所とが関連付けられた会場のテーブル、例えば、名札、席札などを用いる会場（結婚披露宴、結婚披露パーティー、祝賀パーティーなど）のテーブルで、透明体１の頂部４の溝又はスリット５に席札などのカードを装着して使用するのに有用である。すなわち、スイッチ１３をオンにすると、発光ダイオード１１が発光し、透明体１の側面から面発光するため、装飾性、照明効果を高めることができる。特に、内部空間７が多面体状空間であり、しかも透明体１が隣接する多角柱段部３ａ〜３ｅの角部が互いに位置ずれした多角柱状段部３で構成された多面体状に形成されいるため、光を屈折させ、装飾体１の多数の面からキラキラした輝きで煌びやかに面発光でき、視角が異なっていても、装飾性及び照明演出効果を高めることができる。また、基部よりも頂部が小さく形成されているので、テーブル上での載置安定性が高い。しかも、構造が簡単であるため、装飾体を小型化でき、宴席や会合の終了後には、記念品として持ち帰ることもできる。
【００２２】
なお、卓上装飾体の透明体は、透光可能である限り、例えば、無色透明であってもよく、適当な色（黄色、オレンジ色、赤色、ピンク色、青色、緑色など）に着色していてもよく、白濁していてもよい。このような透明体は、プラスチック、ガラスなどで調製でき、プラスチックで作製すると、インジェクション成形などの成形加工により生産性を向上できる。
【００２３】
透明体は、載置安定性を損なわない限り、種々の形状が採用できる。例えば、透明体の全体形状は、円錐状、角錐状、円錐台状や角錐台状などの基部に対して頂部が縮径又は縮小した形状であってもよい。また、球体、楕円体、半球体や半楕円体などのように、側部が膨出又は拡大した形状、例えば、底部から頂部に向かうにつれて側方に膨出し、この膨出部から頂部に向かって縮径していてもよく、底部が側方に膨出していてもよい。さらに、透明体の全体形状は、逆円錐状、逆角錐状、逆円錐台状や逆角錐台状などの基部に対して頂部が拡径した（又は大きくなった）形状であってもよく、多面体を構成できる限り、鳥獣類（又は動物）やキャラクターの形態であってもよい。載置安定性の高い透明体は、基部に対して頂部が縮径又は拡大した形状、例えば、基部から頂部に向かって全体として縮径している場合が多く、前記図示のように階段状に縮径していてもよく連続的に縮径していてもよい。なお、側部が膨出または拡径した形状や基部に対して頂部が拡径した形状の透明体では、必要に応じて、載置安定性を高めるため、載置安定性の高い保持台に透明体を配置してもよい。
【００２４】
さらに、光を屈折させ、複数の面で面発光させるため、透明体は多面体状に形成されていればよく、透明体の形状に応じて、種々の多面体形状が採用できる。例えば、６面体、１０面体、１２面体、１８面体などのカット面が隣接した多面体；カット面が散在した多面体；高さ方向に隣接するカット面が高さ方向の軸線に対して同一又は異なる傾斜角度で形成された多面体；高さ方向及び／又は横方向に隣接するカット面が外方又は内方へ傾斜した形状の多面体などが採用できる。多面体において、カット面は平滑であってもよく、すりガラス状の粗面であってもよく、規則的又は不規則的に湾曲又は波打っていてもよい。
【００２５】
前記透明体（特に透明体の縮径部）は、複数の多角柱段部で構成された多角柱状部を備え、かつ少なくともこの多角柱状部で多面体状に構成してもよい。この多角柱状部は、通常、全体として、基部から頂部に向かって多角柱状の形態で階段状又は連続的に縮径（縮小）、拡径（拡大）していてもよく、同じ径（すなわち、多角柱状）であってもよい。階段状の縮径部又は拡径部は、複数の段部、例えば、２〜１０段などの段部で形成してもよく、高さ方向に隣接する各段部の角部（又はコーナー部）は、面取り又はアール加工しなくてもよく、アール状や傾斜面状に面取りしてもよい。なお、連続的に縮径又は拡径する透明体の縮径部又は拡径部は、前記階段状の角柱段部の立ち上がり壁を順次頂部に向かって傾斜させることにより形成できる。
【００２６】
多角柱状部は、面発光可能な複数の多角柱段部（例えば、４〜３６角柱状部や６〜３６角柱状部など）で構成でき、多角柱段部は、通常、４〜２４角柱状部、好ましくは８〜２４角柱状部（例えば、１０〜２０角柱状部）、さらに好ましくは１０〜１６角柱部程度であってもよい。高さ方向に隣接する階段部において、各多角柱段部の角部は軸方向（図中、高さ方向）に揃って配列していてもよいが、角部が互いに位置ずれしていると、多面体の形態で多面で発光できる。高さ方向に隣接する多角柱段部において、各多角柱段部の角部は、互いに５〜４５°（好ましくは１０〜３０°）程度ずれている場合が多い。特に、隣接する多角柱段部において、角部は、隣接する多角柱段部の辺の長手方向（図中、横方向）の略中央部に位置させる場合が多い。
【００２７】
なお、前記の例では、縮径部は、基部から頂部に向かって辺数が同じ複数の多角柱段部で構成されているが、縮径部や縮径部は、基部から頂部に向かって辺数が増加又は低減する複数の多角柱段部や傾斜カット面で構成してもよい。
【００２８】
透明体の頂部は半球状である必要はなく、楕円体状、多角体状、波形状や平坦状などであってもよい。また、透明体の頂部及び／又は基部は必ずしも透明である必要はない。
【００２９】
カードの種類は特に制限されず、名札、席札に限らず、招待状、挨拶文、料理のメニュなどであってもよい。カードを装着するための装着部又は装着機構は、前記透明体の適所（例えば、前記段部、基部、側壁部など）に形成してもよいが、通常、頂部に形成する場合が多い。前記装着機構は、カードの装着形態に応じて、孔（有底孔又は貫通孔）であってもよい。例えば、カードを保持するための保持部と、この保持部から延びる線状体とで構成されたカード保持ユニットを用いる場合、装着機構は、前記線状体が挿入可能な孔で構成してもよい。カードが装着可能な装着機構は、溝やスリットで構成する場合が多い。この溝やスリットは直線状に形成してもよいが、カードの保持性を高めるため湾曲（例えば、弧状、Ｓ字状などに湾曲）しているのが有利である。なお、溝やスリット幅は、カードの種類に応じて選択でき、例えば、０．５〜２ｍｍ程度であってもよい。
【００３０】
透明体の内部空間は、種々の形態で形成でき、円筒状、円錐状、角柱状、角錐状、ドーム状、多面体状空間などであってもよく、鳥獣類（動物類）やキャラクターの形態であってもよい。内部空間は、発光体からの光の屈折をコントロールするため、多角柱状や多面体状空間である場合が多い。例えば、内部空間は、断面多角柱状空間部と、この多角柱状空間部に連なる空間部とで構成でき、後者の空間部は、半球形状、半楕円体状、円錐状、円錐台状などの空間部であってもよいが、多角錐状又は多角錐台状空間部である場合が多い。前記多角柱状空間部は、３〜２４角柱状空間部であってもよく、通常、４〜１２角柱状空間部（好ましくは６〜１２角柱状空間部、さらに好ましくは６〜１０角柱状空間部）であってもよい。多角柱状空間部に連なる空間部も、３〜２４角錐状又は多角錐台状空間部であってもよく、通常、４〜１２角錐状又は多角錐台状空間部（好ましくは６〜１２角錐状又は多角錐台状空間部、さらに好ましくは６〜１０角錐状又は多角錐台状空間部）であってもよい。
【００３１】
前記透明体の内部空間には、少なくとも１つの発光体が収容又は配置されていればよく、複数の発光体が収容又は配置されていてもよい。また、複数の発光体を用いる場合、発光色が同じ発光体を用いてもよく、発光色の異なる複数の発光体を用いてもよい。発光体の種類は特に制限されず電球であってもよく発光素子（発光ダイオード、有機又は無機エレクトロルミネッセンス（ＥＬ）素子など）であってもよい。通常、発光素子（発光ダイオード、ＥＬ素子）を用いる場合が多い。なお、発光体の発光色は前記のように無彩色（白色）や有彩色（黄色、オレンジ色、ピンク色、赤色、青色、緑色、紫色など）であってもよい。
【００３２】
裏蓋部は必ずしも必要ではなく、前記内部空間は封入状態であってもよいが、電池交換のためには、前記裏蓋部は透明体の凹部に対して装着可能であるのが有利である。
【００３３】
本発明において、発光体を発光させるための電源は、前記電池に限らず、種々の電源（一次電池、二次電池、燃料電池、太陽電池など）が利用できるが、可搬性の点から小型の電池（前記リチウム二次電池など）を用いる場合が多い。電池は、通常、前記透明体の内部空間において、発光体を遮蔽しない部位（例えば、図示の例のように、発光体の下部）に配置される。
【００３４】
スイッチ機構は、図示の例のように、透明体の裏面又は底部（前記裏蓋部の支持部など）に配置してもよく、裏蓋部に限らず透明体の基部などの適所に配置してもよい。また、装飾体から離れたスイッチ機構により、発光体を発光又は消光させてもよい。また、スイッチ機構は、発光ダイオードの発光又は消灯を切り換え可能である限り、手動スイッチに限らず自動スイッチであってもよい。
【００３５】
この自動スイッチは、例えば、カード類の装着に応答して発光体を発光させ、カード類の脱着に応答して発光体を消光させてもよい。このようなスイッチを備えた装飾体では、透明体の装着機構（例えば、カードが装着される前記溝やスリット、孔など）に、装着機構に対するカードの装着又は押圧に伴って、発光体と電池とを導通可能なスイッチ機構を設けてもよい。例えば、透明体の装着機構（例えば、前記溝やスリット、孔など）に圧力センサを配置し、この圧力センサからの検出信号の値と圧力に関する基準値とを比較し、検出信号の値が基準値以上である（又は基準値を超える）とき、装着信号を生成するための比較回路と、この比較回路からの装着信号に応答して発光体と電池とを導通させるためのスイッチ駆動回路とで装飾体を構成してもよい。なお、装着機構に対するカードの装着は、カードに形成された記録部（磁気記録部など）と、この記録部に記録されたデータを検出（例えば、磁気的に検出する）ための検出手段により検出してもよい。
【００３６】
自動スイッチは、照度低下（例えば、２００ルクス以下、好ましくは１００ルクス以下への照度低下）に応答して発光体を発光させるための自動スイッチであってもよい。このような自動スイッチを備えた装飾体は、例えば、照度を検出するための光センサと、この光センサからの検出信号の値（又は強度）と照度に関する基準値とを比較し、検出信号の値が基準値以下である（又は基準値を外れる）とき、照度低下信号を生成するための比較回路と、この比較回路からの照度低下信号に応答して発光体と電池とを導通させるためのスイッチ駆動回路とで構成できる。このような装飾体では、結婚披露宴や披露パーティーでのキャンドルサービスなどにおいて、消灯に伴ってテーブルを種々の発光色に発光できるため、照明演出効果を高め、出席者の感動を会場全体に拡げることができる。
【００３７】
さらに、自動スイッチを備えた装飾体は、透明体又は装飾体に対する物体（出席者又は着席者など）の接近（例えば、３０〜７０ｃｍ程度の距離への接近）又は着席に応答して発光体を発光させ、物体の離反又は離座に応答して発光体を消光させてもよい。このような自動スイッチを備えた装飾体は、例えば、透明体又は装飾体に対する物体（出席者又は着席者など）の接近又は席への着席を検出するためのセンサ（赤外線センサなどの光センサ、超音波センサ、温度センサ、圧力センサ、位置センサなど）と、このセンサからの検出信号と物体の接近又は着席に関する基準値とを比較し、検出信号の値が基準値以上である（又は基準値を超える）とき、接近信号又は着席信号を生成するための比較回路と、この比較回路からの接近信号又は着席信号に応答して発光体と電池とを導通させるためのスイッチ駆動回路とで構成できる。
【００３８】
さらに、装飾体の周囲の音（歓声など）などに応答して発光体を発光又は消光させてもよい。例えば、装飾体の周囲の音声又は音響に伴う振動を検出するためのセンサ（圧電センサなど）と、このセンサからの検出信号と音声又は音響に関する基準値とを比較し、検出信号の値が基準値以上である（又は基準値を超える）とき、雰囲気信号を生成するための比較回路と、この比較回路からの雰囲気信号に応答して発光体と電池とを導通させるためのスイッチ駆動回路とで装飾体を構成してもよい。このような装飾体では、会場の雰囲気の盛り上がりに伴って発光体を発光させることができ、会場の雰囲気をさらに盛り上げることができ、装飾性だけでなく会場の照明演出効果が大きい。
【００３９】
さらに、装飾体に対する物体（出席者、招待者など）の接近又は着席に伴って、物体（出席者、招待者など）の接近又は物体に関連してメッセージ（例えば、結婚披露宴や披露パーティーでの新郎新婦や主催者などのお礼の言葉、着席者のお名前及びお礼の言葉など）を発するための機能を有していてもよい。このような装飾体は、例えば、透明体又は装飾体に対する物体の接近又は着席を検出するための前記センサと、このセンサからの検出信号と物体の接近又は着席に関する基準値とを比較し、検出信号の値が基準値以上である（又は基準値を超える）とき、接近信号又は着席信号を生成するための比較回路と、この比較回路からの接近信号又は着席信号に応答して音声を発するための音声生成ユニット（マイクロ音声生成ユニットなど）とを備えていてもよい。
【００４０】
さらに、複数の発光体（例えば、発光ダイオードなどの発光素子）を備えた装飾体では、発光色の異なる複数の発光体を内部空間に収容し、コントローラなどの遠隔操作ユニットにより、発光色や発光する素子の数などを選択してもよい。
【００４１】
装飾体は、これらの機能のうち単一の機能（例えば、照度低下に伴う発光機能、接近又は着座に伴う発光機構など）を備えていてもよく、複数の機能（例えば、照度低下に伴う発光機能と接近又は着座に伴う発光機構との双方の機能、接近又は着座に伴う音声機構と照度低下に伴う発光機能との双方の機能）を備えていてもよい。
【産業上の利用可能性】
【００４２】
本発明の卓上装飾体は、結婚披露宴や披露パーティー、祝賀パーティーなどの宴席や会合において、テーブルの装飾体（例えば、光るオブジェなど）として利用するのに有用である。また、小型化や軽量化が可能であり、可搬性を有しているため、前記宴席や会合での引き出物などとして持ち帰ることもできる。
【図面の簡単な説明】
【００４３】
【図１】図１は本発明の卓上装飾体を示す概略正面図である。
【図２】図２は図１の卓上装飾体を示す概略平面図である。
【図３】図３は図１の卓上装飾体を示す概略縦断面図である。
【図４】図４は図１の卓上装飾体の使用状態を示す概略側面図である。
【符号の説明】
【００４４】
１…透明体
３…多角柱状段部
３ａ〜３ｅ…多角柱段部
４…頂部
５…溝又はスリット
６…カード
７…内部空間
９…多角柱状空間部
１０…多角錐状又は多角錐台状空間部
１１…発光ダイオード
１２…電池
１３…スイッチ
【図１】
2005047145.tif 000003
【図２】
2005047145.tif 000004
【図３】
2005047145.tif 000005
【図４】
2005047145.tif 000006